(57)【要約】  本発明は容器内のガス漏れ防止装置に関し、より詳しくは、飲料に含まれたガスが外部に流出されないようにする容器内のガス漏れ防止装置に関する。このために、本発明の容器内のガス漏れ防止装置は、所定の厚さを有し、２つ以上に分離される固定具と、内部が中空のパイプ形状を有し、前記固定具の一部が引き込まれる上端内側に装着部が形成され、下端の外側と内側に螺旋が形成され、長さ方向に２つ以上に分離される第１締結部材と、２つ以上に分離された前記第１締結部材を相互結合された状態で固定されるように、前記第１締結部材の下端外側に形成された螺旋に結合される結合部材と、内部が中空のパイプ形状を有し、上部にシーリングの一部が引き込まれるシーリング装着部が形成され、外側に形成された螺旋によって前記第１締結部材の内部に引き込まれる第２締結部材と、前記第２締結部材の内部に引き込まれ、内部が中空のパイプ形状を有し、円錐形状を有する上部は１つ以上の貫通孔が形成され、下端は開放された穿孔部材と、前記穿孔部材の下端が引き込まれる加圧部材とを含む。
2020519546.tif 000002
【特許請求の範囲】
【請求項１】
２つ以上の組み合わせで飲料容器の上端部位に対応する固定具と、
２つ以上の組み合わせで内部が中空のパイプ形状をなし、上端内側に前記固定具の取り付けが行われる装着部を形成し、下端の外側と内側に締結部を形成した第１締結部材と、
前記第１締結部材を相互結合された状態で固定する結合部材と、
内部が中空のパイプ形状を有し、上部にシーリングの一部が引き込まれるシーリング装着部が形成され、外側に形成された螺旋によって前記第１締結部材の内部に引き込まれる第２締結部材と、
前記第２締結部材の内部に引き込まれ、内部が中空のパイプ形状を有し、円錐形状を有する上端は貫通孔が形成され、下端は開放された穿孔部材と、
前記穿孔部材の下端が引き込まれる加圧部材と、を含むことを特徴とする容器内のガス漏れ防止装置。
【請求項２】
前記穿孔部材の長さは前記第２締結部材の長さよりも相対的に長く、前記穿孔部材上に結合され、前記貫通孔を通じて下端に移動する飲料の移動を遮断するストップバルブを含むことを特徴とする請求項１に記載の容器内のガス漏れ防止装置。
【請求項３】
前記固定具は半円形の２つで構成され、外側一部は、前記第１締結部材の上部に設けた装着部に固定され、内側一部は容器の栓の下端に密着され、
前記シールの残り一部は前記栓の上端に密着されることを特徴とする請求項２に記載の容器内のガス漏れ防止装置。
【発明の詳細な説明】
【技術分野】
【０００１】
本発明は容器内のガス漏れ防止装置に関し、より詳しくは、飲料に含まれたガスが外部に流出されないようにする容器内のガス漏れ防止装置に関する。
【背景技術】
【０００２】
一般に、密閉貯蔵容器の中のビールや焼酎及び炭酸飲料などを飲むためには、容器栓の開放が必要である。容器栓を開放する際には、貯蔵容器の内部の味と香りが瞬間的に放出される。また、飲みながら、使用者は容器栓で貯蔵容器を閉鎖していない開放状態を保持することが一般的である。
【０００３】
このように貯蔵容器の開放状態は、時間が経つにつれて飲料の味と香り（炭酸）が減るだけでなく、急速な酸敗現象を誘発する。
【０００４】
このような現象は、飲料の味と香りの変質はもちろん急速な酸敗現象で非衛生的であるという問題がある。
【０００５】
従って、貯蔵容器内の飲料は、使用時間を短縮する必要があり、長時間開放した場合、残り飲料を捨てなければならない。
【０００６】
特に、非衛生的な空間で断続的に飲用する場合、開放する度に貯蔵容器内の味と香り（炭酸）が放出され、また空いているスペースが非衛生的な空気で満たされて、時間が経つにつれて味と香りが変質し、さらに飲料が汚染される可能性が高くなる。
【０００７】
このような問題を考慮した先行技術として、大韓民国登録実用新案第２０−０２９２０８７号公報（ビール缶）や第２０−０２８０８０３号公報（ビール缶用開封装置）などがある。
【０００８】
上述した先行技術は、使用者が空気開閉手段を開放して貯蔵容器の内部に空気が流入されるようにしながら開放した状態で飲むようにしている。
【０００９】
つまり、先行技術は、基本的に上層部に手動的に作動する空気流入口を設け、また、下層部に内容物が出る部位にコルクで塞いだ状態で内容物を収得しようとするときに、空気流入口を開放して空気が流入されるようにし、下層部のコルクを開放することで行われる。
【発明の概要】
【発明が解決しようとする課題】
【００１０】
本発明が解決しようとする課題は、容器の栓を容易に穿孔することができる方案を提案することにある。
【００１１】
本発明が解決しようとする他の課題は、飲料に含まれている空気が外部に流出されることを防止するようにする方案を提案することにある。
【００１２】
本発明が解決しようとするまた他の課題は、必要に応じて簡単に飲み物を飲むことができるようにする方案を提案することにある。
【課題を解決するための手段】
【００１３】
このために、本発明の容器内のガス漏れ防止装置は、所定の厚さを有し、２つ以上に分離される固定具と、内部が中空のパイプ形状を有し、前記固定具の一部が引き込まれる上端内側に装着部が形成され、下端の外側と内側に螺旋が形成され、長さ方向に２つ以上に分離される第１締結部材と、２つ以上に分離された前記第１の締結部材を相互結合された状態で固定されるように、前記第１締結部材の下端外側に形成された螺旋に結合される結合部材と、内部が中空のパイプ形状を有し、上端にシーリングの一部が引き込まれるシーリング装着部が形成され、外側に形成された螺旋によって前記第１締結部材の内部に引き込まれる第２締結部材と、前記第２締結部材の内部に引き込まれ、内部が中空のパイプ形状を有し、円錐形状を有する上端は貫通孔が形成され、下端は開放された穿孔部材と、前記穿孔部材の下端が引き込まれる加圧部材とを含む。
【発明の効果】
【００１４】
本発明に係る容器内のガス漏れ防止装置は、円錐形状からなる穿孔部材を利用して飲料容器の栓を容易に穿孔することができ、第２締結部材と飲料の栓が密着されることによって飲料に含まれている空気が外部に流出されなくなる。
【００１５】
また、本発明はストップバルブを利用して、必要に応じて飲料容器に含まれている飲料を簡便に飲むことができるという効果を奏する。
【図面の簡単な説明】
【００１６】
【図１】本発明の一実施例に係る容器内のガス漏れ防止装置の構成を示した図である。
【図２】本発明の一実施例に係る第２締結部材の終端が栓に密着された状態を示した図である。
【図３】本発明の一実施例に係る容器内のガス漏れ防止装置の動作を示した図である。
【発明を実施するための形態】
【００１７】
本発明は最良の形態として、２つ以上の組み合わせで飲料容器の上端部位に対応する固定具と、２つ以上の組み合わせで内部が中空のパイプ形状をなし、上端内側に前記固定具の取り付けが行われる装着部を形成し、下端の外側と内側に締結部を形成した第１締結部材と、前記第１締結部材を相互結合された状態で固定する結合部材と、内部が中空のパイプ形状を有し、上端にシーリングの一部が引き込まれるシーリング装着部が形成され、外側に形成された螺旋によって前記第１締結部材の内部に引き込まれる第２締結部材と、前記第２締結部材の内部に引き込まれ、内部が中空のパイプ形状を有し、円錐形状を有する上端は１つ以上の貫通孔が形成され、下端は開放された穿孔部材と、前記穿孔部材の下端が引き込まれる加圧部材と、を含むことを特徴とする容器内のガス漏れ防止装置を提示する。
【００１８】
［実施形態］
前述した、そしてその他の本発明の様相は添付図面を参照して説明される好ましい実施例を通じてさらに明らかになる。以下では、本発明の実施例を通じて当業者が容易に理解して再現することができるように詳しく説明する。
【００１９】
図１は本発明の一実施例に係る容器内のガス漏れ防止装置の構成を示した図である。以下、図１を用いて、本発明の一実施例に係る容器内のガス漏れ防止装置の構成について詳しく説明する。
【００２０】
図１によれば、容器内のガス漏れ防止装置は、２つ以上の組み合わせで円形をなす固定具、第１締結部材、結合部材、第２締結部材、穿孔部材、加圧部材及びストップバルブで構成される。もちろん、上述した構成に加えて、他の構成が本発明で提案する容器内のガス漏れ防止装置に含まれてもよい。
【００２１】
上述した固定具１０２は所定の厚さを有する２つの半円形状からなることができる。本発明において半円形状の固定具１０２は円形の輪を半分に切断した形状を有する。もちろん半円形状の固定具以外に他の形状の固定具も本発明で提案する固定具に含まれることができる。
【００２２】
第１締結部材１０４は内部が中空のパイプ形状を有し、上述した半円形状の固定具１０２と同様に、半円柱を相互対向するように結合してなる。即ち、第１締結部材１０４は２つ以上に分割されることができる。
【００２３】
第１締結部材１０４は、前述したように、内部が中空のパイプ形状を有し、中空の内部の直径は同じではなく、異なる直径からなってもよい。本発明において、第１締結部材１０４の内部直径は下端に比べて上端の直径が相対的に大きい。
【００２４】
第１締結部材１０４の下端外側と内側は螺旋を形成したものからなることができる。
【００２５】
第１締結部材１０４の上端内側は半円形状の固定具１０２の一部が引き込まれる装着部が形成される。図１によれば、固定具１０２の外側の一部は、第１締結部材１０４の上部に溝形状に設けた装着部に引き込まれ、残りの一部は飲料容器の上端に形成された突出した部分またはその周縁に対応して密着される。
【００２６】
敷衍すれば、２つ以上に分離された第１締結部材１０４の装着部に固定具１０２を引き込んだ状態で、固定具１０２の残りの一部が飲料容器の上端に形成された突出部分に密着されるように分離された第１締結部材１０４を密着させる。
【００２７】
結合部材１０６は、内側に第１締結部材１０４の外面に形成された螺旋に対応する螺旋が形成されたものからなることができ、その他にベルトやカップリングなどの手段が利用されることができ、相互密着された第１締結部材１０４の構成部が分離しないように固定する機能を果たす。
【００２８】
第２締結部材１０８は、内側が中空のパイプ形状を有し、外側は螺旋が形成される。第２締結部材１０８の上端はシーリング装着部が形成され、形成されたシーリング装着部にはシーリング１０８ａが装着される。
【００２９】
第２締結部材１０８は内部が中空のパイプ形状の第１締結部材１０４の内部に引き込まれ、形成された螺旋により、第１締結部材１０４と第２締結部材１０８は固定される。また、形成された螺旋を利用して、第２締結部材１０８を第１締結部材１０４の内部に引き込めば、第２締結部材１０８の上端は栓１２の上端に密着される。その他にも、第２締結部材１０８の上端はシーリング１０８ａの一部が引き込まれているので、シーリング１０８ａによって第２締結部材１０８の上端と栓１２の上端は密着される。
【００３０】
図２によれば、第２締結部材１０８の上端が栓１２に密着された状態を示す。
【００３１】
第２締結部材１０８は螺旋を利用した回転のために下端は相対的直径の大きいハンドル部１０８ｂを形成し、ハンドル部１０８ｂを回転させて第２締結部材１０８を第１締結部材１０４の内部に引き込ませる。
【００３２】
穿孔部材１１０は内部が中空のパイプ形状を有し、終端は栓１２の穿孔が可能に円錐形状を有する。円錐形状を有する穿孔部材１１０の終端は複数の貫通孔１１０ａが形成され、形成された貫通孔１１０ａは穿孔部材１１０の内部の中空の空間と連結される。
【００３３】
穿孔部材１１０は、第２締結部材１０８に対してねじ結合されることができ、または多様な形状で締結方法で結合されることができる。
【００３４】
穿孔部材１１０の長さは第２締結部材１０８の長さよりも相対的に長く形成し、従って穿孔部材１１０は第２締結部材１０８に引き込まれた状態で外部に所定の長さ突出される。
【００３５】
穿孔部材１１０の終端は穿孔部材１１０から分離可能な加圧部材１１４が形成される。加圧部材１１４は、上端内側に穿孔部材１１０が他側終端が引き込まれることができるように引込溝１１４ａが形成される。穿孔部材１１０が引き込まれた状態で加圧部材１１４を下端から上端に加圧すると、穿孔部材１１０も下端から上端へ移動する。
【００３６】
ストップバルブ１１２は穿孔部材１１０と連結され、穿孔部材１１０の内部空間に形成された空き領域を遮断する機能を果たす。敷衍すれば、内部空間に飲み物が移動することを遮断する機能を果たす。
【００３７】
図３は本発明の一実施例に係る飲料容器の栓自動開閉装置の動作を示した図である。以下、図３を利用した本発明の一実施例に係る飲料容器の栓自動開閉装置の構成について詳しく説明する。
【００３８】
図３によれば、加圧部材１１４を加圧すると、引き込まれていた穿孔部材１１０が上端へ移動する。穿孔部材１１０が上端へ移動すると、終端に形成された円錐が栓を穿孔する。栓が穿孔されると、容器内部の飲料が円錐に形成された貫通孔１１０ａを介して穿孔部材１１０の内部に移動して外部に流出される。
【００３９】
使用者はストップバルブ１１２を利用して穿孔部材１１０の内部を移動して飲料の移動を遮断することができ、第２締結部材１０８の上端に形成されたシーリング１０８ａと、第１締結部材１０４の装着部に引き込まれた固定具１０２によって第２締結部材１０８が栓に密着されることで、空気が外部に流出されず、使用者が必要な場合ストップバルブ１１２を利用して飲み物を飲むことができ、必要としないない場合には、ストップバルブ１１２を回転させて穿孔部材１１０の内部に流れる飲料の移動を遮断することができる。
【００４０】
本発明は、図面に示された一実施例を参考として説明されたが、これは例示的なものに過ぎず、本技術分野において通常の知識を有する者であれば、それから多様な変形及び均等な他の実施例が可能であることを理解すべきである。
【図１】
2020519546.tif 000003
【図２】
2020519546.tif 000004
【図３】
2020519546.tif 000005
【国際調査報告】
2020519546.tif 000006
2020519546.tif 000007
2020519546.tif 000008
2020519546.tif 000009
2020519546.tif 000010
2020519546.tif 000011